【事件の表示】
　特許第３１１９０６４号「冷蔵庫扉の収納装置成形用金型」の請求項１乃至５に係る特許に対する特許異議の申立てについて、次のとおり決定する。
【結　論】
　訂正を認める。
　特許第３１１９０６４号の請求項１、２に係る特許を維持する。
　特許異議申立人松野靖恵の特許異議の申立てを却下する。
【理　由】
１．手続の経緯
　特許第３１１９０６４号（以下「本件特許」という。）についての出願は、平成６年２月２日に特許出願され、平成１２年１２月８日に設定登録され、その後、松野靖恵、株式会社東芝、三洋電機株式会社、株式会社富士通ゼネラルより特許異議申立がなされ、取消理由が通知された後、平成１４年５月１７日付けで訂正請求がなされたものである。
　
２．訂正の適否についての判断
（１）本件訂正請求は、以下の事項について訂正するものである。     
（ア）特許請求の範囲の請求項１〜請求項５において、請求項１〜請求項３を削除し、請求項４、請求項５を繰り上げて、下記のように訂正する。
「【請求項１】　冷蔵庫扉の周縁部に支持され、上記周縁部から庫内側へ突出しかつ上方及び後方が開口した箱体からなるポケット本体と、このポケット本体を前ポケット及び後ポケットに仕切り左右端部がそれぞれ上記ポケット本体の左右側面部に接続された仕切り板とを合成樹脂で一体成形する金型において、上記金型を少なくとも上記ポケット本体の外面部を成形する下部金型と、上記前ポケットを成形する前部金型と、上記後ポケットを成形する後部金型とで構成したことを特徴とする冷蔵庫扉の収納装置成形用金型。
【請求項２】　下部金型は下方向に、前部金型は上方向に、後部金型は後方向に型を抜くものとしたことを特徴とする請求項１に記載の冷蔵庫扉の収納装置成形用金型。」
（イ）〔発明の名称〕の「冷蔵庫、冷蔵庫扉の収納装置及びその成型用金型」を、「冷蔵庫扉の収納装置成型用金型」と訂正する。
（ウ）段落〔０００７〕の「この発明の第１の発明に係る冷蔵庫は、冷蔵庫本体を開閉する扉体の内側に下部及び側部が係合して支持され、上方及び後方が開口するポケットを着脱可能に設け、このポケット本体内を前後に仕切り、左右端部がそれぞれポケット本体の両側面部に一体成形された仕切り板を備えたものである。」を、
「この発明に係る冷蔵庫扉の収納装置成形用金型は、上方及び後方が開口した箱体からなるポケット本体と、このポケット本体を前ポケット及び後ポケットに仕切る仕切り板とを合成樹脂で一体成形する金型を、ポケット本体の外面部を形成する下部金型と、前ポケットを形成する前部金型と、後ポケットを形成する後部金型とで構成したものである。」と訂正する。
（エ）段落〔０００８〕の「また、第２の発明に係る冷蔵庫は、第１の発明のものにおいて、仕切り板の上縁部を下部よりも厚肉部とし、この厚肉部を左右端部間に連続して設けたものである。」を、
「また、この発明に係る冷蔵庫扉の収納装置成形用金型は、下部金型は下方向に、前部金型は上方向に、後部金型は後方向に型を抜くようにしたものである。」と訂正する。
（オ）段落〔０００９〕〜〔００１１〕を削除する。
（カ）段落〔００１２〕の「この発明の第１の発明においては、」を、「この発明においては、」と訂正する。
（キ）段落〔００１３〕の「また、第２の発明においては、」を、「また、この発明においては、」と訂正する。
（ク）段落〔００１４〕の「また、第３の発明においては、」を、「また、この発明においては、」と訂正する。
（ケ）段落〔００１５〕の「また、第４の発明においては、」を「また、この発明においては、」と、「第５の発明においては、」を「また、」と訂正する。
（コ）段落〔００２６〕の「以上説明したとおり、この発明の第１発明では、」を、「以上説明したとおり、この発明では、」と訂正する。
（サ）段落〔００２７〕の「また、第２の発明においては、」を、「また、この発明においては、」と訂正する。
（シ）段落〔００２８〕の「また、第３の発明では、」を、「また、この発明では、」と訂正する。
（ス）段落〔００２９〕の「また、第４の発明では、」を「また、この発明では、」と、「第５の発明では、」を「また、」と訂正する。
　
（２）そこで、上記訂正事項について検討する。
　訂正事項（ア）の特許請求の範囲に係る訂正は、訂正前の請求項１乃至３を削除し、請求項４，５を繰り上げて請求項１，２と訂正したものであって、特許請求の範囲の減縮を目的としたものである。
　また、訂正事項（イ）は、冷蔵庫に係る発明に関する訂正前の請求項１乃至３を削除して、冷蔵庫扉の収納装置成型用金型に係る発明に関する請求項１，２のみと訂正したことに伴い、発明の名称を訂正したもので、明りょうでない記載の釈明を目的としたものである。
　訂正事項（ウ），（エ）は、訂正前の請求項１乃至３を削除して、請求項４，５を繰り上げて請求項１，２と訂正したことに伴い、発明の詳細な説明中の訂正前の請求項１乃至３に関する説明を削除し、請求項４，５に関する説明を繰り上げたもので、明りょうでない記載の釈明を目的としたものである。
　訂正事項（オ）〜（ス）は、訂正前の請求項１乃至３を削除して、請求項４，５を繰り上げて請求項１，２と訂正したことに伴い、発明の詳細な説明中の発明の指示代名詞を訂正したものであって、明りょうでない記載の釈明を目的としたものである。
　そして、各訂正事項は、いずれも特許明細書又は図面に記載した事項の範囲内においてなされ、実質上特許請求の範囲を拡張し、又は変更するものでない。
  そうすると、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　
３．特許異議の申立ての概要
　特許異議申立人松野靖恵は、甲第１号証（実願昭５６−２０６４５号（実開昭５７−１３４５９４号）のマイクロフィルム）、甲第２号証（実願昭５５−５２８８０号（実開昭５６−１５３７９０号）のマイクロフィルム）、甲第３号証（実願昭５８−１８８６７４号（実開昭６０−９６５８１号）のマイクロフィルム）を提出し、請求項１に係る特許は、特許法第２９条第２項に違反してなされたものであると主張している。
　また、特許異議申立人株式会社東芝は、甲第１号証（実願昭５３−１２１５５２号（実開昭５５−３９４０３号）のマイクロフィルム）、甲第２号証（実願昭５３−１７７３１４号（実開昭５５−９６３８４号）のマイクロフィルム）、甲第３号証（実願昭５５−５２８８０号（実開昭５６−１５３７９０号）のマイクロフィルム）、甲第４号証（特開平５−２９６６４８号公報）を提出し、請求項１乃至５に係る特許は、特許法第２９条第２項に違反してなされたものであると主張している。
　また、特許異議申立人三洋電機株式会社は、甲第１号証（実願平３−４８０６０号（実開平５−３８７９号）のＣＤ−ＲＯＭ）、甲第２号証（実願昭５５−５２８８０号（実開昭５６−１５３７９０号）のマイクロフィルム）、甲第３号証（「射出成型用金型」、日刊工業新聞社、昭和５３年１２月１０日第６版発行、第１６〜２１頁、）、甲第４号証（特開平６−８４９号公報）を提出し、請求項１乃至５に係る特許は、特許法第２９条第２項に違反してなされたものであり、請求項１乃至３の記載は、願書に最初に添付した明細書又は図面に記載した事項の範囲内においてしたものでないから、特許法第１７条第２項に違反してなされたものであると主張している。
　さらに、特許異議申立人株式会社富士通ゼネラルは、甲第１号証（特開平１−２１９４８３号公報）、甲第２号証（実願昭５５−５２８８０号（実開昭５６−１５３７９０号）のマイクロフィルム）、甲第３号証（実願昭５３−１７７３１４号（実開昭５５−９６３８４号）のマイクロフィルム）、甲第４号証（「新プラスチック金型設計技術講座」、第１分冊、プラスチック成形技術と金型計画、第１０〜１１頁、株式会社工学研究社、昭和５２年４月発行）、甲第５号証（「冷蔵庫総合カタログ」、シャープ株式会社、１９９３年１２月発行）、甲第６号証（「冷蔵庫総合カタログ」、三洋電機株式会社、１９９１年２月発行）、甲第７号証（「冷蔵庫総合カタログ」、株式会社日立製作所、１９９３年１０月発行）、甲第８号証（「プラスチックス」、工業調査会、１９７４年１１月発行、Ｖｏｌ．２５、Ｎｏ．１１、第１０５〜１０６頁）、甲第９号証（「プラスチックス」、工業調査会、１９８０年９月発行、Ｖｏｌ．３１、Ｎｏ．９、第１８〜２２頁）を提出し、請求項１乃至５に係る特許は、特許法第２９条第２項に違反してなされたものであると主張している。
　
４．特許異議の申立てについての判断
（１）特許異議申立人松野靖恵が取消しを求めた請求項１に係る特許は、上記２．訂正の適否についての判断において示したように、請求項の削除による訂正により、存在しないものとなった。
　その結果、特許異議申立人松野靖恵による特許異議の申立ては、不適法な申立てであって、その補正をすることができないものであるので、特許法第１２０条の６第１項で準用する第１３５条の規定によって却下すべきものである。
  したがって、以下、特許異議申立人株式会社東芝、三洋電機株式会社及び株式会社富士通ゼネラルによる特許異議の申立てについて検討する。
　
（２）本件特許の請求項１及び２に係る発明（以下「本件第１発明及び本件第２発明」という。）は、訂正明細書の特許請求の範囲の請求項１及び２に記載された事項により特定されるとおりのものと認める。（上記２．（１）（ア））
　
（３）当審が通知した取消しの理由に引用された実願昭５３−１２１５５２号（実開昭５５−３９４０３号）のマイクロフィルム（以下「刊行物１」という。）には、
「冷蔵庫に設けられ、収納物を冷却する室を開閉する開閉扉と、この開閉扉の内側に側部が嵌合して支持され、前面部、底面部及び両側面部を有し、上方及び後方が開口して収納物を収納するとともに上記開閉扉に、着脱可能に設けられた棚部材と、この棚部材の本体内を前後に仕切り、左右端部がそれぞれ上記棚部材本体の両側面部に一体成形にて接続された仕切り板とを備えてなる冷蔵庫。」の発明が記載されていると認められるものの、本件第１発明及び本件第２発明の「ポケット本体」が、「周縁部から庫内側へ突出し」ており、かつ、「上方及び後方が開口」し、かつ、「このポケット本体を前ポケット及び後ポケットに仕切り左右端部がそれぞれ上記ポケット本体の左右部に接続され」ている「仕切り板」をそなえ、さらに、「ポケット本体」が「仕切り板」と「合成樹脂で一体成形」されているものであり、これらの構成要件を全て備えた「ポケット本体」を成形する金型についての構成は、刊行物１に記載されておらず、また、この構成は、特許異議申立人が提出した証拠のいずれにも記載されていない。
　そして、この構成が自明であるとも、もしくは、当業者が容易に成し得るとすることはできず、本件第１発明及び本件第２発明が、特許異議申立人が提出した刊行物に記載された発明に基づいて、当業者が容易に発明をすることができたものと認めることはできない。
　また、特許異議申立人三洋電機株式会社は、請求項１乃至３の記載が、願書に最初に添付した明細書又は図面に記載した事項の範囲内においてしたものでなく、特許法第１７条第２項に違反してなされたものであると主張しているが、上記のとおり、請求項１乃至３は、訂正により削除されており、訂正後の明細書中の記載が、願書に最初に添付した明細書又は図面に記載した事項の範囲内においてしたものでないということはできない。
　
５．むすび
　以上のとおりであるから、特許異議の申立ての理由によっては、本件第１発明及び本件第２発明についての特許を取り消すことはできない。
　また、他に本件第１発明及び本件第２発明についての特許を取り消すべき理由を発見しない。
　したがって、本件第１発明及び本件第２発明についての特許は、拒絶の査定をしなければならない特許出願にされたものと認めない。
　また、特許異議申立人松野靖恵による特許異議の申立ては、不適法な申立てであって、その補正をすることができないものであるので、特許法第１２０条の６第１項で準用する第１３５条の規定によって却下すべきものである。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。  
【異議決定日】
平成１４年６月２７日（２００２．６．２７）
【訂正の要旨】
（ア）特許請求の範囲の請求項１〜請求項５において、請求項１〜請求項３を削除し、請求項４、請求項５を繰り上げて、下記のように訂正する。
「【請求項１】　冷蔵庫扉の周縁部に支持され、上記周縁部から庫内側へ突出しかつ上方及び後方が開口した箱体からなるポケット本体と、このポケット本体を前ポケット及び後ポケットに仕切り左右端部がそれぞれ上記ポケット本体の左右側面部に接続された仕切り板とを合成樹脂で一体成形する金型において、上記金型を少なくとも上記ポケット本体の外面部を成形する下部金型と、上記前ポケットを成形する前部金型と、上記後ポケットを成形する後部金型とで構成したことを特徴とする冷蔵庫扉の収納装置成形用金型。
　【請求項２】　下部金型は下方向に、前部金型は上方向に、後部金型は後方向に型を抜くものとしたことを特徴とする請求項１に記載の冷蔵庫扉の収納装置成形用金型。」
（イ）〔発明の名称〕の「冷蔵庫、冷蔵庫扉の収納装置及びその成型用金型」を、「冷蔵庫扉の収納装置成型用金型」と訂正する。
（ウ）段落〔０００７〕の「この発明の第１の発明に係る冷蔵庫は、冷蔵庫本体を開閉する扉体の内側に下部及び側部が係合して支持され、上方及び後方が開口するポケットを着脱可能に設け、このポケット本体内を前後に仕切り、左右端部がそれぞれポケット本体の両側面部に一体成形された仕切り板を備えたものである。」を、
「この発明に係る冷蔵庫扉の収納装置成形用金型は、上方及び後方が開口した箱体からなるポケット本体と、このポケット本体を前ポケット及び後ポケットに仕切る仕切り板とを合成樹脂で一体成形する金型を、ポケット本体の外面部を形成する下部金型と、前ポケットを形成する前部金型と、後ポケットを形成する後部金型とで構成したものである。」と訂正する。
　（エ）段落〔０００８〕の「また、第２の発明に係る冷蔵庫は、第１の発明のものにおいて、仕切り板の上縁部を下部よりも厚肉部とし、この厚肉部を左右端部間に連続して設けたものである。」を、
「また、この発明に係る冷蔵庫扉の収納装置成形用金型は、下部金型は下方向に、前部金型は上方向に、後部金型は後方向に型を抜くようにしたものである。」と訂正する。
（オ）段落〔０００９〕〜〔００１１〕を削除する。
（カ）段落〔００１２〕の「この発明の第１の発明においては、」を、「この発明においては、」と訂正する。
（キ）段落〔００１３〕の「また、第２の発明においては、」を、「また、この発明においては、」と訂正する。
（ク）段落〔００１４〕の「また、第３の発明においては、」を、「また、この発明においては、」と訂正する。
（ケ）段落〔００１５〕の「また、第４の発明においては、」を「また、この発明においては、」と、「第５の発明においては、」を「また、」と訂正する。
（コ）段落〔００２６〕の「以上説明したとおり、この発明の第１発明では、」を、「以上説明したとおり、この発明では、」と訂正する。
（サ）段落〔００２７〕の「また、第２の発明においては、」を、「また、この発明においては、」と訂正する。
（シ）段落〔００２８〕の「また、第３の発明では、」を、「また、この発明では、」と訂正する。
（ス）段落〔００２９〕の「また、第４の発明では、」を「また、この発明では、」と、「第５の発明では、」を「また、」と訂正する。
（５４）【発明の名称】
冷
置成
（５７）【特許請求の範囲】
　【請求項１】　
冷蔵庫扉の周縁部に支持され、上記周縁部から庫内側へ突出しかつ上方及び後方が開口した箱体からなるポケット本体と、このポケット本体を前ポケット及び後ポケットに仕切り左右端部がそれぞれ上記ポケット本体の左右側面部に接続された仕切り板とを合成樹脂で一体成形する金型において、上記金型を少なくとも上記ポケット本体の外面部を成形する下部金型と、上記前ポケットを成形する前部金型と、上記後ポケットを成形する後部金型とで構成したことを特徴とする冷蔵庫扉の収納装置成形用金型。
　【請求項２】　
下部金型は下方向に、前部金型は上方向に、後部金型は後方向に型を抜くものとしたことを特徴とする請求項１に記載の冷蔵庫扉の収納装置成形用金型。
【発明の詳細な説明】
　【０００１】
　【産業上の利用分野】
　この発明は、冷蔵庫、冷蔵庫の扉に取り付けられビン等を収納する装置、及びその成形用金型に関するものである。
　【０００２】
　【従来の技術】
　図７〜図９は、例えば実開平３−１２４１８８号公報に示された従来の冷蔵庫扉の収納装置を示す図で、図７は開扉正面図、図８は図７の収納ポケット部の要部縦断面図、図９は前ポケットの湾曲説明図である。
　【０００３】
　図において、（１）は冷蔵庫本体、（２）は冷蔵庫本体（１）の冷蔵室、（３）は冷蔵室（２）を開閉する扉、（４）は扉（３）の裏側に設けられた扉内板、（５）は扉内板（４）の周縁部で、互いに平行する縦周縁部（５ａ）及び互いに平行する横周縁部（５ｂ）からなっており、扉（３）の裏側から突出している。（６）は周縁部（５）の下部に設けられた前ポケット、（７）は扉内板（４）の中央部に設けられ縦方向に延在する支持部、（８）は支持部（８）と縦周縁部（５ａ）との間に設けられた上下２段の後ポケットである。
　【０００４】
　従来の冷蔵庫扉の収納装置は上記のように構成され、前ポケット（６）は縦周縁部（５ａ）と横周縁部（５ｂ）により支持されており、前ポケット（６）にはビン等の比較的大形で重い物品が収納される。また、後ポケット（８）には小物品が収納される。このようにして、収納性の向上を図るようにしている。
　【０００５】
　【発明が解決しようとする課題】
　上記のような従来の冷蔵庫扉の収納装置では、図９に示すように縦周縁部（５ａ）の内側に縦方向に延在する凸部（５ｃ）が形成され、これに前ポケット（６）の側面に形成された凹部（１１ｄ）が係合して前ポケット（６）を支持しているため、前ポケット（６）にビン等の比較的大形かつ重い物品が収納されると、前ポケット（６）が湾曲しやすく、凹部（１１ｄ）が凸部（５ｃ）から脱出する虞れがあるという問題点がある。
　【０００６】
　この発明は上記問題点を解消するためになされたもので、前ポケット及び後ポケットの強度を向上し、かつコストを低減することができるようにした冷蔵庫、冷蔵庫扉の収納装置及びその成形用金型を提供することを目的とする。
　【０００７】
　【課題を解決するための手段】
　この
発明に係る冷蔵庫扉の収納装置成形用金型は、上方及び後方が開口した箱体からなるポケット本体と、このポケット本体を前ポケット及び後ポケットに仕切る仕切り板とを合成樹脂で一体成形する金型を、ポケット本体の外面部を形成する下部金型と、前ポケットを形成する前部金型と、後ポケットを形成する後部金型とで構成したものである。
　【０００８】
　また、
この発明に係る冷蔵庫扉の収納装置成形用金型は、下部金型は下方向に、前部金型は上方向に、後部金型は後方向に型を抜くようにしたものである。
　【０００９】
　【００１０】
　【００１１】
　【００１２】
　【作用】
　この発
明に
　【００１３】
　また、
こ
　【００１４】
　また、
こ
　【００１５】
　また、
こ
また
　【００１６】
　【実施例】
実施例１．
　図１及び図２はこの発明の第１及び第３の発明の一実施例を示す図で、図１は要部分解斜視図、図２は冷蔵庫の開扉正面図であり、従来装置と同様の部分は同一符号で示す（以下の実施例も同様）。
　【００１７】
　図において、（１０）は透明合成樹脂製のポケット、（１１）は上方及び後方が開口したポケット本体で、底面部（１１ａ）とその周縁を三方から包囲する前面部（１１ｂ）及び側面部（１１ｃ）を有し、側面部（１１ｃ）に扉内板（４）の縦周縁部（５ａ）に形成された凸部（５ｃ）に嵌入される凹部（１１ｄ）が形成されている。（１２）はポケット本体（１１）内を前ポケット（１３）及び後ポケット（１４）に仕切る仕切り板で、その両端は側面部（１１ｃ）（１１ｃ）に接続されている。（１２ａ）は仕切り板（１２）に設けられた模様線である。
　【００１８】
　上記のように構成された冷蔵庫扉の収納装置においては、仕切り板（１２）でポケット本体（１１）内を前ポケット（１３）及び後ポケット（１４）に仕切ることにより、前ポケット（１３）にはビン等の比較的大形で重い物品を収納し、後ポケット（１４）に小物品等を収納するなど、分離利用が可能である。また、後ポケット（１４）の後方は開口しており、壁等の部材はないため、収納容積は大きい。
　【００１９】
　ポケット本体（１１）の側面部（１１ｃ）は、内側からの仕切り板（１２）の接続による支持と、外側からの凹部（１１ｄ）と凸部（５ｃ）との嵌入により挟持され変形が抑制されている。また、前ポケット（１３）に重量物を収納し、ポケット本体（１１）が重量のため湾曲しようとしても、仕切り板（１２）が側面部（１１ｃ）（１１ｃ）に接続支持されているため、湾曲が規制されポケット本体（１１）の変形、凹部（１１ｄ）と凸部（５ｃ）の外れは防止される。そのため、ポケット本体（１１）の肉厚を従来品よりも薄くしても、ポケット本体（１１）として必要な強度を保つことが可能となる。
　【００２０】
実施例２．
　図３及び図４はこの発明の第４及び第５の発明の一実施例を示す図で、図３は金型の縦断面図、図４は図３のＩＶ−ＩＶ線断面図である。
　図において、（１６）は図１に示すポケット本体（１１）及び仕切り板（１２）を成形する金型で、ポケット本体（１１）の底面部（１１ａ）、前面部（１１ｂ）、側面部（１１ｃ）の前部の各外面を成形する下部金型（１６ａ）、前ポケット（１３）の各内面を成形する前部金型（１６ｂ）、後ポケット（１４）の各内面及び模様線（１２ａ）を成形する後部金型（１６ｃ）及び側面部（１１ｃ）の後部及び凹部（１１ｄ）を成形する側部金型（１６ｄ）により構成されている。
　【００２１】
　各金型（１６ａ）〜（１６ｄ）により形成される間隙（１７）に熱可塑性透明合成樹脂材料が注入されてポケット（１０）が成形される。成形後、下部金型（１６ａ）は矢印Ａが示す下方向へ、前部金型（１６ｂ）は矢印Ｂが示す上方向へ、後部金型（１６ｃ）は矢印Ｃが示すポケット本体（１１）の後方へ、側部金型（１６ｄ）は矢印Ｄが示す横方向へ抜かれる。
　【００２２】
　このようにして、ポケット本体（１１）及び仕切り板（１２）は一体成形され一部品で済み、金型コストが安くなる。また、模様線（１２ａ）（文字、図形等でもよく、これらを凸設又は凹設することは自在である）が透明合成樹脂を透視して見ることができ、見栄えの良いものとすることが可能となる。
　なお、図１に示すポケット本体（１１）の幅は、縦周縁部（５ａ）に挿入される部分が前部よりも狭く形成されているが、これが前部と同幅の場合は、側部金型（１６ｄ）（１６ｄ）は不要である。
　【００２３】
実施例３．
　図５はこの発明の第１の発明の他の実施例を示す要部斜視図である。
　この実施例では、ポケット本体（１１）及び仕切り板（１２）は実施例２で示したように、透明合成樹脂で一体成形されており、仕切り板（１２）の側面部（１１ｃ）との接続支持部（１２ｂ）は、ポケット本体（１１）が周縁部（５）に装着されたとき、縦周縁部（５ａ）の内側に隠れるように配置されている。また、仕切り板（１２）の下端部（１２ｃ）とポケット本体（１１）の底面部（１１ａ）との間には間隔が設けられている。
　【００２４】
　透明なポケット本体（１１）は収納物品が一見して分かると同時に、外観も優れている。また、仕切り板（１２）の接続支持部（１２ｂ）は外部からは見えないので、見栄えは良い。
　また、仕切り板（１２）の下端部（１２ｃ）とポケット本体（１１）の底面部（１１ａ）との間の間隔は、狭いポケット本体（１１）内の清掃に役立つ。
　【００２５】
実施例４．
　図６はこの発明の第２の発明の一実施例を示す仕切り板の要部拡大縦断面図である。
　この実施例では、仕切り板（１２）の上縁部（１２ｄ）の肉厚を下部よりも厚く形成したものである。
　ポケット本体（１１）の側面部（１１ｃ）は下部よりも上部の方が、ポケット本体（１１）の湾曲時に変形しやすいが、仕切り板（１２）の上縁部（１２ｄ）で側面部（１１ｃ）の上部は下部よりも強く支持されるため、変形に対する強度が向上する。
　【００２６】
　【発明の効果】
　以上説明したとおり、この発
明で
　【００２７】
　また、
こ
　【００２８】
　また、
こ
　【００２９】
　また、
こ
また
【図面の簡単な説明】
　【図１】　この発明の実施例１を示す要部分解斜視図。
　【図２】　この発明の実施例１を示す冷蔵庫の開扉正面図。
　【図３】　この発明の実施例２を示すポケット成形用金型の縦断面図。
　【図４】　図３のＩＶ−ＩＶ線断面図。
　【図５】　この発明の実施例３を示す要部斜視図。
　【図６】　この発明の実施例４を示す仕切り板の要部拡大縦断面図。
　【図７】　従来の冷蔵庫扉の収納装置を示す開扉正面図。
　【図８】　図７の収納ポケット部の要部縦断面図。
　【図９】　図８の前ポケットの湾曲説明図。
　【符号の説明】
　１　　冷蔵庫本体
　３　　扉
　４　　扉内板
　５　　扉内板の周縁部
１０　　ポケット
１１　　ポケット本体
１１ａ　ポケット本体底面部
１１ｂ　ポケット本体前面部
１１ｃ　ポケット本体側面部
１２　　仕切り板
１２ａ　模様線
１２ｂ　仕切り板接続支持部
１２ｃ　仕切り板下端部
１２ｄ　仕切り板上縁部
１３　　前ポケット
１４　　後ポケット
１６　　ポケット成形用金型
１６ａ　ポケット下部金型
１６ｂ　ポケット前部金型
１６ｃ　ポケット後部金型